(57)【要約】【課題】２つのコネクタを接続固定する管状の固定具において、２つのコネクタを接続させて固定具で締め付けたときに、従来よりもさらに緩みにくい固定具を提供する。【解決手段】第１コネクタ挿入口５２と、第２コネクタ挿入口５４と、オスコネクタと係合する係合部５８と、メスコネクタと螺合する螺合部６０とを備える固定具５０。螺合部６０は、固定具の内面に螺旋状に設けられ、固定具の管中心軸５０ａｘに向けて突出する突起部６２と、突起部６２を構成する突起の間に位置する非突起部６４とを有する。非突起部６４の内径寸法は、第２コネクタ挿入口５４側から第１コネクタ挿入口５２側に向かうにしたがって狭くなるように設定されている。【選択図】図３
2010213780.tif 000002
【特許請求の範囲】
【請求項１】
２つのコネクタのうち一方のコネクタ（３０）と係合するとともに他方のコネクタ（４０）と螺合することにより、当該２つのコネクタを接続固定する管状の固定具（５０）であって、
前記固定具（５０）は、
前記固定具の一方側端部に設けられ、前記一方のコネクタ（３０）を挿入するための第１コネクタ挿入口（５２）と、
前記固定具の他方側端部に設けられ、前記他方のコネクタ（４０）を挿入するための第２コネクタ挿入口（５４）と、
前記一方のコネクタ（３０）と係合する係合部（５８）と、
前記固定具の内面に設けられ、前記他方のコネクタ（４０）と螺合する螺合部（６０）とを備え、
前記螺合部（６０）は、
前記固定具の内面に螺旋状に設けられ、前記固定具の管中心軸（５０ａｘ）に向けて突出する突起部（６２）と、
前記突起部（６２）を構成する突起の間に位置する非突起部（６４）とを有し、
前記非突起部（６４）の内径寸法は、前記第２コネクタ挿入口（５４）側から前記第１コネクタ挿入口（５２）側に向かうにしたがって狭くなるように設定されていることを特徴とする固定具（５０）。
【請求項２】
請求項１に記載の固定具において、
前記固定具の管中心軸（５０ａｘ）を含む仮想平面で切断したときの、前記非突起部（６４）をつないだ仮想直線（Ｐ）と前記固定具の管中心軸（５０ａｘ）とが交差する角度θは、
２．７度≦θ≦３．５度に設定されていることを特徴とする固定具（５０）。
【請求項３】
請求項１又は２に記載の固定具において、
前記固定具（５０）の内面のうち前記第２コネクタ挿入口（５４）近傍の内面であって、前記突起部（６２）を除いた部分の内面の形状は、前記固定具の管中心軸（５０ａｘ）を含む仮想平面で切断したとき、前記固定具の管中心軸（５０ａｘ）に対して当該内面が略平行となるように構成されていることを特徴とする固定具（５０）。
【請求項４】
請求項１〜３のいずれか一項に記載の固定具において、
前記固定具（５０）は、プラスチック材料からなることを特徴とする固定具（５０）。
【請求項５】
オスコネクタ（３０）と、
前記オスコネクタ（３０）と接続可能に構成されたメスコネクタ（４０）と、
前記オスコネクタ（３０）と係合するとともに前記メスコネクタ（４０）と螺合することにより、前記オスコネクタ（３０）及び前記メスコネクタ（４０）を接続固定する管状の固定具（５０）とを備える接続部材（２０）であって、
前記固定具（５０）は、請求項１〜４のいずれか一項に記載の固定具であり、
前記オスコネクタ（３０）は、
前記一方のコネクタであって、かつ、
前記固定具（５０）の前記係合部（５８）と係合する被係合部（３６）を有し、
前記メスコネクタ（４０）は、
前記他方のコネクタであって、かつ、
前記メスコネクタ（４０）の外面の一部に形成され、前記固定具（５０）の前記螺合部（６０）と螺合する被螺合部（４６）を有することを特徴とする接続部材（２０）。
【請求項６】
請求項５に記載の接続部材において、
前記被螺合部（４６）が設けられた位置における前記メスコネクタ（４０）の外径寸法（Ｄ）は、前記螺合部（６０）が設けられた位置における前記固定具（５０）の内径寸法のうち最も前記第１コネクタ挿入口（５２）側の位置での内径寸法（ｄ）以上に設定されていることを特徴とする接続部材（２０）。
【請求項７】
請求項５又は６に記載の接続部材を備えることを特徴とする医療用具（１）。
【発明の詳細な説明】
【技術分野】
【０００１】
本発明は、例えば、血液の体外循環回路、カテーテル類、輸液・輸血セット、注射器等の医療用具に用いる固定具（ロックナットともいう。）及び接続部材並びに当該接続部材を備える医療用具に関する。
【背景技術】
【０００２】
オスコネクタと係合するとともにメスコネクタと螺合することにより、オスコネクタ及びメスコネクタを接続固定する管状の固定具として、従来、オスコネクタを挿入するためのオスコネクタ挿入口近傍に、突起を設けた固定具が知られている（例えば、特許文献１参照。）。
【０００３】
従来の固定具によれば、オスコネクタとメスコネクタとを接続させて固定具で締め付けたときに、オスコネクタ挿入口近傍に設けられた突起がオスコネクタの外周面（オスコネクタに接続されたチューブの外周面）に食い込むこととなるため、固定具を緩みにくくすることが可能となる。
【先行技術文献】
【特許文献】
【０００４】
【特許文献１】登録実用新案第３１２０９９０号公報
【発明の概要】
【発明が解決しようとする課題】
【０００５】
ところで、このような固定具を扱う業界においては、オスコネクタとメスコネクタとを接続させて固定具で締め付けたときに、固定具をさらに緩みにくくしたいという要求がある。
【０００６】
そこで、本発明は、このような事情に鑑みてなされたもので、２つのコネクタを接続固定する管状の固定具において、２つのコネクタを接続させて固定具で締め付けたときに、従来よりもさらに緩みにくい固定具を提供することを目的とする。また、２つのコネクタが従来よりも強固に接続固定された接続部材を提供することを目的とする。さらに、そのような優れた接続部材を備える医療用具を提供することを目的とする。
【課題を解決するための手段】
【０００７】
［１］本発明の発明者は、上記目的を達成するため、２つのコネクタを接続させて固定具で締め付けたときの固定具の緩みにくさを向上させるための手段について鋭意研究を重ねた。その結果、２つのコネクタを接続させて固定具で締め付けたとき、つまり、固定具と他方のコネクタとを螺合させたときの、固定具の内面と他方のコネクタの外面との接触面積を従来よりも大きくすれば、従来よりも大きな回転抵抗力（螺合部に望ましくない回転力が加わった場合に、その回転力に対し抵抗する力）を得ることができ、結果として、固定具の緩みにくさを向上することができることに想到し、本発明を完成させるに至った。
【０００８】
すなわち、本発明の固定具（５０）は、２つのコネクタのうち一方のコネクタ（３０）と係合するとともに他方のコネクタ（４０）と螺合することにより、当該２つのコネクタを接続固定する管状の固定具であって、前記固定具（５０）は、前記固定具の一方側端部に設けられ、前記一方のコネクタ（３０）を挿入するための第１コネクタ挿入口（５２）と、前記固定具の他方側端部に設けられ、前記他方のコネクタ（４０）を挿入するための第２コネクタ挿入口（５４）と、前記一方のコネクタ（３０）と係合する係合部（５８）と、前記固定具の内面に設けられ、前記他方のコネクタ（４０）と螺合する螺合部（６０）とを備え、前記螺合部（６０）は、前記固定具の内面に螺旋状に設けられ、前記固定具の管中心軸（５０ａｘ）に向けて突出する突起部（６２）と、前記突起部（６２）を構成する突起の間に位置する非突起部（６４）とを有し、前記非突起部（６４）の内径寸法は、前記第２コネクタ挿入口（５４）側から前記第１コネクタ挿入口（５２）側に向かうにしたがって狭くなるように設定されていることを特徴とする。
【０００９】
本発明の固定具は、上記のように、非突起部の内径寸法が、第２コネクタ挿入口側から第１コネクタ挿入口側に向かうにしたがって狭くなるように設定されている。すなわち、螺合部のうち非突起部の部分の形状（内面形状）に注目すると、第２コネクタ挿入口から奥に向かうにしたがって徐々に狭くなるようなテーパ状になっているため、２つのコネクタを接続させて固定具で締め付けたときに、固定具の内面と他方のコネクタの外面とが従来よりも広い面積で接触することとなる。このため、従来よりも大きな回転抵抗力を得ることができ、結果として、固定具の緩みにくさを向上することが可能となる。
【００１０】
したがって、本発明の固定具は、２つのコネクタを接続させて固定具で締め付けたときに、従来よりもさらに緩みにくい固定具となる。
【００１１】
［２］上記［１］に記載の固定具（５０）においては、前記固定具の管中心軸（５０ａｘ）を含む仮想平面で切断したときの、前記非突起部（６４）をつないだ仮想直線（Ｐ）と前記固定具の管中心軸（５０ａｘ）とが交差する角度θは、２．７度≦θ≦３．５度に設定されていることが好ましい。
【００１２】
上記角度θが２．７度よりも小さいと、固定具の内面と他方のコネクタの外面との接触面積がそれほど大きなものとならず、結果として、所定の緩み防止効果を得ることが容易ではない。
一方、上記角度θが３．５度よりも大きいと、次の２点の理由により、固定具と他方のコネクタとを螺合させるのが容易ではなくなる。１点目は、螺合部の内径のうち第１コネクタ挿入口側の位置での螺合部の内径が、他方のコネクタの外径に対して狭くなりすぎてしまう場合があるからである。螺合部の内径が他方のコネクタの外径に対して狭くなりすぎると、第２コネクタ挿入口から挿入した他方のコネクタを奥まで進ませるのが容易ではなくなるので、結果として、固定具と他方のコネクタとを螺合させるのが容易ではなくなる。２点目は、螺合部の突起部を構成する突起のうち最も第２コネクタ挿入口側に位置する突起の位置での、螺合部の内径が広くなりすぎる結果、第２コネクタ挿入口から挿入した他方のコネクタが傾いてしまう場合があるからである。第２コネクタ挿入口から挿入した他方のコネクタが傾いてしまうと、固定具の螺合部（突起部）と他方のコネクタの螺合される部分とがうまく噛み合わなくなるので、結果として、固定具と他方のコネクタとを螺合させるのが容易ではなくなる。
これに対し、本発明の固定具によれば、上記角度θが、２．７度≦θ≦３．５度に設定されているため、所定の緩み防止効果を得ることができるとともに、固定具と他方のコネクタとを比較的容易に螺合させることが可能な固定具となる。
以上の観点から言えば、上記角度θは、２．９度≦θ≦３．３度に設定されていることがより好ましい。
【００１３】
［３］上記［１］又は［２］に記載の固定具（５０）においては、前記固定具（５０）の内面のうち前記第２コネクタ挿入口（５４）近傍の内面であって、前記突起部（６２）を除いた部分の内面の形状は、前記固定具の管中心軸（５０ａｘ）を含む仮想平面で切断したとき、前記固定具の管中心軸（５０ａｘ）に対して当該内面が略平行となるように構成されていることが好ましい。
【００１４】
このように構成することにより、第２コネクタ挿入口に他方のコネクタを挿入したときに、他方のコネクタが傾いてしまうのを抑制することが可能な固定具となる。このため、本発明の固定具を用いれば、固定具と他方のコネクタとを比較的容易に螺合させることが可能となる。
【００１５】
［４］上記［１］〜［３］のいずれか１つに記載の固定具（５０）においては、前記固定具（５０）は、プラスチック材料からなることが好ましい。
【００１６】
プラスチック材料からなる固定具は、金属材料からなる固定具に比べて剛性が低いことから、上述の緩み防止効果を確保しつつ、過度の締め付けによる固定具又はコネクタの破損を抑制することが可能となる。
【００１７】
［５］本発明の接続部材（２０）は、オスコネクタ（３０）と、前記オスコネクタ（３０）と接続可能に構成されたメスコネクタ（４０）と、前記オスコネクタ（３０）と係合するとともに前記メスコネクタ（４０）と螺合することにより、前記オスコネクタ（３０）及び前記メスコネクタ（４０）を接続固定する管状の固定具（５０）とを備える接続部材であって、前記固定具（５０）は、上記［１］〜［４］のいずれか１つに記載の固定具であり、前記オスコネクタ（３０）は、前記一方のコネクタであって、かつ、前記固定具（５０）の前記係合部（５８）と係合する被係合部（３６）を有し、前記メスコネクタ（４０）は、前記他方のコネクタであって、かつ、前記メスコネクタ（４０）の外面の一部に形成され、前記固定具（５０）の前記螺合部（６０）と螺合する被螺合部（４６）を有することを特徴とする。
【００１８】
このため、本発明の接続部材によれば、上述したように、従来よりもさらに緩みにくい固定具を備えているため、オスコネクタとメスコネクタとの接続をより強固に維持することが可能となる。
したがって、本発明の接続部材は、２つのコネクタが従来よりも強固に接続固定された接続部材となる。
【００１９】
［６］上記［５］に記載の接続部材（２０）においては、前記被螺合部（４６）が設けられた位置における前記メスコネクタ（４０）の外径寸法（Ｄ）は、前記螺合部（６０）が設けられた位置における前記固定具（５０）の内径寸法のうち最も前記第１コネクタ挿入口（５２）側の位置での内径寸法（ｄ）以上に設定されていることが好ましい。
【００２０】
このように構成することにより、固定具の内面とメスコネクタの外面とが確実に接触することとなるため、十分な回転抵抗力を得ることができ、結果として、オスコネクタとメスコネクタとの接続を確実に維持することが可能となる。
【００２１】
［７］本発明の医療用具（１）は、上記［５］又は［６］に記載の接続部材を備えることを特徴とする。
【００２２】
このため、本発明の医療用具は、コネクタが接続されている部分の緩みの少ない優れた医療用具となる。
【００２３】
なお、特許請求の範囲及び本欄（課題を解決するための手段の欄）に記載した各部材等の文言下に括弧をもって付加された符号は、特許請求の範囲及び本欄に記載された内容の理解を容易にするために用いられたものであって、特許請求の範囲及び本欄に記載された内容を限定するものではない。
【図面の簡単な説明】
【００２４】
【図１】実施形態に係る医療用具１を説明するために示す図。
【図２】実施形態に係る接続部材２０を説明するために示す図。
【図３】実施形態に係る固定具５０を説明するために示す図。
【図４】実施形態に係る固定具５０を説明するために示す図。
【図５】実施形態に係る固定具５０を説明するために示す図。
【図６】実施形態に係る固定具５０を説明するために示す図。
【図７】実施形態に係る固定具５０を説明するために示す図。
【図８】固定具５０を用いてオスコネクタ３０及びメスコネクタ４０を接続固定する方法の一例を示す図。
【図９】固定具５０を用いてオスコネクタ３０及びメスコネクタ４０を接続固定する方法の他の例を示す図。
【図１０】比較例に係る固定具９５０を説明するために示す図。
【図１１】被螺合部４６が設けられた位置におけるメスコネクタ４０の外径寸法Ｄと、第２コネクタ挿入口９５４の内径寸法ｄ１との関係を説明するために示す図。
【図１２】比較例に係る固定具９５０及び実施形態に係る固定具５０を説明するために示す図。
【発明を実施するための形態】
【００２５】
以下、本発明の固定具、接続部材及び医療用具について、図に示す実施の形態に基づいて説明する。
【００２６】
［実施形態］
まず、実施形態に係る医療用具１及び接続部材２０の構成について、図１及び図２を用いて説明する。
図１は、実施形態に係る医療用具１を説明するために示す図である。
図２は、実施形態に係る接続部材２０を説明するために示す図である。図２（ａ）は接続部材２０を示す側面図であり、図２（ｂ）はオスコネクタ３０を示す側面図であり、図２（ｃ）はメスコネクタ４０を示す側面図である。なお、図２（ａ）においては、固定具５０及びメスコネクタ４０の一部を断面で図示している。
【００２７】
実施形態に係る医療用具１は、患者の体に薬液等を供給するための輸液セットであって、図１に示すように、点滴筒１０と、ローラークランプ１２と、三方活栓１３と、チューブ１１，１４，１５と、チューブ１４とチューブ１５とを接続するための接続部材２０とを備える。
【００２８】
点滴筒１０は、筒内に薬液等を一時的に溜めるとともに、チューブ１１を介してその薬液等を所定量ずつ下流のローラークランプ１２に送るための部材である。ローラークランプ１２は、チューブ１１内を流れる薬液等の流量を調整するために用いられる。三方活栓１３は、点滴筒１０から送られる薬液等を下流側に流したりその流れを停止させたりするために用いられるとともに、他の薬液等を輸液ライン内に注入するために用いられる。
【００２９】
接続部材２０は、図１及び図２に示すように、チューブ１４の端部に配置されたオスコネクタ３０と、オスコネクタ３０と接続可能に構成され、チューブ１５の端部に配置されたメスコネクタ４０と、チューブ１４に取付けられ、オスコネクタ３０及びメスコネクタ４０を接続固定する固定具５０とを備える。
【００３０】
オスコネクタ（一方のコネクタ）３０は、図２（ａ）及び図２（ｂ）に示すように、後述するメスコネクタ４０の嵌合孔４２と嵌合する嵌合部３２と、チューブ１４と接続されるチューブ接続部３４と、嵌合部３２とチューブ接続部３４との間であってオスコネクタ３０の外周面全面にわたって設けられ、後述する固定具５０の係合部５８と係合するための段状の被係合部３６とを有する。オスコネクタ３０は、図示による説明は省略するが、中空の管状部材である。オスコネクタ３０は、チューブ１４内にチューブ接続部３４を差し込むことにより、チューブ１４とオスコネクタ３０との接続が確保されている。
【００３１】
メスコネクタ（他方のコネクタ）４０は、図２（ａ）及び図２（ｃ）に示すように、オスコネクタ３０の嵌合部３２と嵌合可能に構成された嵌合孔４２と、チューブ１５と接続されるチューブ接続部４４と、嵌合孔４２の近傍であってメスコネクタ４０の外面の一部に形成され、後述する固定具５０の螺合部６０と螺合する被螺合部４６とを有する。メスコネクタ４０は、図示による説明は省略するが、中空の管状部材である。メスコネクタ４０は、チューブ接続部４４内にチューブ１５を差し込むことにより、チューブ１５とメスコネクタ４０との接続が確保されている。
【００３２】
なお、チューブ１４とオスコネクタ３０との接続及びチューブ１５とメスコネクタ４０との接続については、上記の構成に限定されるものではない。例えば、チューブ接続部３４内にチューブ１４を差し込むことにより、チューブ１４とオスコネクタ３０との接続が確保されていてもよいし、チューブ１５内にチューブ接続部４４を差し込むことにより、チューブ１５とメスコネクタ４０との接続が確保されていてもよい。
【００３３】
固定具５０は、オスコネクタ３０と係合するとともにメスコネクタ４０と螺合することにより、オスコネクタ３０及びメスコネクタ４０を接続固定するための管状部材であって、例えばポリカーボネイト樹脂などのプラスチック材料からなる。
【００３４】
次に、実施形態に係る固定具５０の構成について、図３〜図７を用いて詳細に説明する。
図３〜図７は、実施形態に係る固定具５０を説明するために示す図である。図３（ａ）は固定具５０の拡大側面図であり、図３（ｂ）は固定具の管中心軸５０ａｘを含む仮想平面で切断したときの固定具５０の拡大断面図である。
図４（ａ）は固定具５０の管中心軸５０ａｘを含む仮想平面で切断したときの固定具５０の拡大端面図であり、図４（ｂ）は図４（ａ）の破線の丸で囲んだ部分を拡大して示す図である。
図５（ａ）は固定具の管中心軸５０ａｘを含む仮想平面で切断したときの、非突起部６４をつないだ仮想直線Ｐと固定具の管中心軸５０ａｘとが交差する角度θを説明するために示す図であり、図５（ｂ）は固定具の管中心軸５０ａｘを含む仮想平面で切断したときの、ストレート部６６をつないだ仮想直線Ｂと固定具の管中心軸５０ａｘとの関係を説明するために示す図である。なお、図５（ａ）に示す直線Ａは、固定具の管中心軸５０ａｘと平行関係にある直線であって、補助的に示したものである。
図６は、固定具の管中心軸５０ａｘを含む仮想平面で切断したときの、突起部６２を構成する突起の頂部をつないだ仮想直線Ｃと固定具の管中心軸５０ａｘとの関係を説明するために示す図である。
図７は、被螺合部４６が設けられた位置におけるメスコネクタ４０の外径寸法Ｄと、螺合部６０が設けられた位置における固定具５０の内径寸法のうち最も第１コネクタ挿入口５２側の位置での内径寸法ｄとの関係を説明するために示す図である。
【００３５】
固定具５０は、図３及び図４に示すように、固定具５０の一方側端部に設けられ、オスコネクタ３０を挿入するための第１コネクタ挿入口５２と、固定具５０の他方側端部に設けられ、メスコネクタ４０を挿入するための第２コネクタ挿入口５４と、固定具５０の外周面に設けられた溝部５６と、固定具５０の内面に設けられ、オスコネクタ３０の被係合部３６と係合する段状の係合部５８と、固定具５０の内面に設けられ、メスコネクタ４０の被螺合部４６と螺合する螺合部６０とを備える。溝部５６は、管中心軸５０ａｘに沿って複数形成された溝からなり、全周にわたって設けられている。係合部５８は、第１コネクタ挿入口５２の近傍部分において、全周にわたって設けられている。
【００３６】
螺合部６０は、固定具５０の内面に螺旋状に設けられ、固定具の管中心軸５０ａｘに向けて突出する突起部６２と、突起部６２を構成する突起の間に位置する非突起部６４とを有する。
【００３７】
非突起部６４の内径寸法は、図３（ｂ）及び図４（ａ）などから分かるように、第２コネクタ挿入口５４側から第１コネクタ挿入口５２側に向かうにしたがって狭くなるように設定されている。言い換えれば、螺合部６０のうち非突起部６４の部分の形状（内面形状）は、第２コネクタ挿入口５４から奥（第１コネクタ挿入口５２）に向かうにしたがって徐々に狭くなるようなテーパ状になっている。
【００３８】
固定具の管中心軸５０ａｘを含む仮想平面で切断したときの、非突起部６４をつないだ仮想直線Ｐと固定具の管中心軸５０ａｘとが交差する角度をθ（図５（ａ）参照。）とすると、当該角度θは、２．７度≦θ≦３．５度に設定されている。
【００３９】
この角度範囲「２．７度≦θ≦３．５度」を満たすためには、例えば、第２コネクタ挿入口５４の部分での固定具５０の内径寸法をφ８．００ｍｍとし、螺合部６０が設けられた位置における固定具５０の内径寸法のうち最も第１コネクタ挿入口５２側の位置での内径寸法（後述するｄ）をφ７．２１ｍｍとし、螺合部６０が設けられた部分の長さ（固定具の管中心軸５０ａｘに沿った長さ）Ｌを９．１ｍｍとし（図４（ａ）参照。）、螺合部６０が設けられた部分のうち後述するストレート部６６の部分の長さＬ１を１．８ｍｍとし、螺合部６０が設けられた部分のうちストレート部６６を除いた部分の長さＬ２を７．３ｍｍとすると、角度θの値は約３．１度となり、上述の角度範囲を満たす。
仮に、第２コネクタ挿入口５４の部分での固定具５０の内径寸法がφ８．００ｍｍであり、上記長さＬが９．１ｍｍであり、上記長さＬ１が１．８ｍｍであるならば、螺合部６０が設けられた位置における固定具５０の内径寸法のうち最も第１コネクタ挿入口５２側の位置での内径寸法（後述するｄ）は、φ７．１１ｍｍ〜φ７．３１ｍｍの範囲で設定可能である。
【００４０】
非突起部６４は、固定具５０の内面のうち第２コネクタ挿入口５４近傍の内面に形成されたストレート部６６を有する（図４（ｂ）参照。）。ストレート部６６は、全周にわたって形成されている。ストレート部６６の内面形状は、図５（ｂ）に示すように、固定具の管中心軸５０ａｘを含む仮想平面で切断したとき、固定具の管中心軸５０ａｘに対して当該内面が略平行となるように構成されている。なお、ストレート部６６の部分の長さＬ１は、１ｍｍ〜２ｍｍ程度であることが好ましい。
【００４１】
突起部６２は、図６から分かるように、固定具の管中心軸５０ａｘを含む仮想平面で切断したときの、突起部６２を構成する突起の頂部をつないだ仮想直線Ｃと固定具の管中心軸５０ａｘとが平行関係となるように、突起部６２の突出高さ（内面から突出する長さ）が揃えられている。言い換えれば、固定具の管中心軸５０ａｘを間にして対向する突起間の距離（すなわち、突起部分での固定具５０の内径）が略同一となるように、突起部６２の突出高さが設定されている。
【００４２】
図７に示すように、被螺合部４６が設けられた位置におけるメスコネクタ４０の外径寸法Ｄは、螺合部６０が設けられた位置における固定具５０の内径寸法のうち最も第１コネクタ挿入口５２側の位置での内径寸法ｄよりも大きく設定されている。
【００４３】
次に、固定具５０を用いてオスコネクタ３０及びメスコネクタ４０を接続固定する方法について、図８及び図９を用いて説明する。
図８は、固定具５０を用いてオスコネクタ３０及びメスコネクタ４０を接続固定する方法の一例を示す図である。図８（ａ）〜図８（ｄ）は固定具５０を用いてオスコネクタ３０及びメスコネクタ４０を接続固定する流れを順に示す図である。
図９は、固定具５０を用いてオスコネクタ３０及びメスコネクタ４０を接続固定する方法の他の例を示す図である。図９（ａ）〜図９（ｄ）は固定具５０を用いてオスコネクタ３０及びメスコネクタ４０を接続固定する流れを順に示す図である。
【００４４】
例えば図８に示す方法では、まず、図８（ａ）に示すように、固定具５０をメスコネクタ４０方向に移動させて、固定具５０の係合部５８（図３（ｂ）参照。）をオスコネクタ３０の被係合部３６に係合させる。その状態で、図８（ｂ）及び図８（ｃ）に示すように、オスコネクタ３０の嵌合部３２をメスコネクタ４０の嵌合孔４２に嵌合させつつ、固定具５０を回転させることで螺合部６０とメスコネクタ４０の被螺合部４６とを螺合させる。これにより、図８（ｄ）に示すように、オスコネクタ３０とメスコネクタ４０とを接続固定することができる。
【００４５】
また、図９に示す方法では、まず、図９（ａ）に示すように、オスコネクタ３０の嵌合部３２をメスコネクタ４０の嵌合孔４２に嵌合させる。次に、図９（ｂ）に示すように、固定具５０をメスコネクタ４０方向に移動させて、図９（ｃ）に示すように、固定具５０を回転させることで螺合部６０とメスコネクタ４０の被螺合部４６とを螺合させる。このとき、固定具５０の係合部５８とオスコネクタ３０の被係合部３６とが係合するまで、固定具５０をメスコネクタ４０方向に回転移動させる。これにより、図９（ｄ）に示すように、オスコネクタ３０とメスコネクタ４０とを接続固定することができる。
【００４６】
次に、比較例に係る固定具９５０をもとにして、実施形態に係る固定具５０をさらに詳細に説明する。
【００４７】
図１０は、比較例に係る固定具９５０を説明するために示す図である。図１０（ａ）は固定具９５０の管中心軸９５０ａｘを含む仮想平面で切断したときの固定具９５０の拡大断面図であり、図１０（ｂ）は固定具の管中心軸９５０ａｘを含む仮想平面で切断したときの固定具９５０の拡大端面図である。
図１１は、被螺合部４６が設けられた位置におけるメスコネクタ４０の外径寸法Ｄと、固定具９５０の第２コネクタ挿入口９５４の内径寸法ｄ１との関係を説明するために示す図である。
図１２は、比較例に係る固定具９５０及び実施形態に係る固定具５０を説明するために示す図である。図１２（ａ）は比較例に係る固定具９５０を用いてオスコネクタ３０及びメスコネクタ４０を接続固定したときの様子を示す図であり、図１２（ｂ）は螺合部９６０の突起部９６２及び非突起部９６４並びに被螺合部４６の周辺部分を拡大して示す図であり、図１２（ｃ）は実施形態に係る固定具５０を用いてオスコネクタ３０及びメスコネクタ４０を接続固定したときの様子を示す図であり、図１２（ｄ）は螺合部６０の突起部６２及び非突起部６４並びに被螺合部４６の周辺部分を拡大して示す図である。
【００４８】
比較例に係る固定具９５０は、基本的には実施形態に係る固定具５０と同様の構成を有するが、螺合部の形状が実施形態に係る固定具５０とは異なる。
【００４９】
比較例に係る固定具９５０においては、図１０に示すように、螺合部９６０は、固定具９５０の内面に螺旋状に設けられ、固定具の管中心軸９５０ａｘに向けて突出する突起部９６２と、突起部９６２を構成する突起の間に位置する非突起部９６４とを有する。
【００５０】
図１０（ｂ）に示すように、非突起部９６４をつないだ仮想直線Ｑは、固定具の管中心軸９５０ａｘと平行である。つまり、非突起部９６４の内径寸法は、第２コネクタ挿入口９５４側から第１コネクタ挿入口９５２側の間で同じ値となるように設定されている。
【００５１】
このとき、図１１に示すように、第２コネクタ挿入口９５４の内径寸法ｄ１（すなわち、非突起部９６４の内径寸法）は、被螺合部４６が設けられた位置におけるメスコネクタ４０の外径寸法Ｄよりも若干ではあるが大きく設定されている。なぜなら、第２コネクタ挿入口９５４の内径寸法ｄ１が、被螺合部４６が設けられた位置におけるメスコネクタ４０の外径寸法Ｄ以下であると、第２コネクタ挿入口９５４にメスコネクタ４０を挿入することができないからである。
【００５２】
このように構成された比較例に係る固定具９５０によれば、上述のように、非突起部９６４の内径寸法が、第２コネクタ挿入口９５４側から第１コネクタ挿入口９５２側の間で同じ値となるように設定されており、ｄ１＞Ｄの関係にあることから、図１２（ｂ）に示すように、固定具９５０の内面とメスコネクタ４０の外面との間に生じる隙間（図１２（ｂ）の符号ｇ部分参照。）が比較的大きくなってしまう。このため、当該隙間に起因して固定具９５０に緩みが生じやすくなってしまう。
【００５３】
これに対し、実施形態に係る固定具５０は、上記のように、非突起部６４の内径寸法が、第２コネクタ挿入口５４側から第１コネクタ挿入口５２側に向かうにしたがって狭くなるように設定されている。すなわち、螺合部６０のうち非突起部６４の部分の形状（内面形状）に注目すると、第２コネクタ挿入口５４から奥に向かうにしたがって徐々に狭くなるようなテーパ状になっているため、２つのコネクタ（オスコネクタ３０及びメスコネクタ４０）を接続させて固定具５０で締め付けたときに、固定具５０の内面とメスコネクタ４０の外面とが従来よりも広い面積で接触することとなり（図１２（ｄ）参照。）、固定具９５０の内面とメスコネクタ４０の外面との間に生じる隙間を極力小さくすることが可能となる。このため、従来よりも大きな回転抵抗力を得ることができ、結果として、固定具の緩みにくさを向上することが可能となる。
【００５４】
したがって、実施形態に係る固定具５０は、２つのコネクタ（オスコネクタ３０及びメスコネクタ４０）を接続させて固定具で締め付けたときに、従来よりもさらに緩みにくい固定具となる。
【００５５】
実施形態に係る固定具５０においては、固定具の管中心軸５０ａｘを含む仮想平面で切断したときの、非突起部６４をつないだ仮想直線Ｐと固定具の管中心軸５０ａｘとが交差する角度θは、２．７度≦θ≦３．５度に設定されている。これにより、所定の緩み防止効果を得ることができるとともに、固定具５０とメスコネクタ４０とを比較的容易に螺合させることが可能な固定具となる。
【００５６】
実施形態に係る固定具５０においては、固定具５０の内面のうち第２コネクタ挿入口５４近傍の内面であって、突起部６２を除いた部分の内面、すなわちストレート部６６の内面形状は、固定具の管中心軸５０ａｘを含む仮想平面で切断したとき、固定具の管中心軸５０ａｘに対して当該内面が略平行となるように構成されている。これにより、第２コネクタ挿入口５４に例えばメスコネクタ４０を挿入したときに、メスコネクタ４０が傾いてしまうのを抑制することが可能な固定具となる。このため、実施形態に係る固定具５０を用いれば、固定具５０とメスコネクタ４０とを比較的容易に螺合させることが可能となる。
【００５７】
実施形態に係る固定具５０においては、固定具５０は、プラスチック材料からなる。プラスチック材料からなる固定具は、金属材料からなる固定具に比べて剛性が低いことから、実施形態に係る固定具５０によれば、固定具５０とメスコネクタ４０とを螺合させたときに、固定具５０とメスコネクタ４０との接触状態を保ったまま、固定具５０が周方向に若干拡張することとなる。その結果、上述の緩み防止効果を確保しつつ、過度の締め付けによる固定具又はコネクタ（オスコネクタ３０若しくはメスコネクタ４０）の破損を抑制することが可能となる。
【００５８】
実施形態に係る接続部材２０は、オスコネクタ３０と、メスコネクタ４０と、上記した固定具５０とを備えているため、オスコネクタ３０とメスコネクタ４０との接続をより強固に維持することが可能となる。
したがって、実施形態に係る接続部材２０は、２つのコネクタ（オスコネクタ３０及びメスコネクタ４０）が従来よりも強固に接続固定された接続部材となる。
【００５９】
実施形態に係る接続部材２０においては、被螺合部４６が設けられた位置におけるメスコネクタ４０の外径寸法Ｄは、螺合部６０が設けられた位置における固定具５０の内径寸法のうち最も第１コネクタ挿入口５２側の位置での内径寸法ｄ以上に設定されている。これにより、固定具５０の内面とメスコネクタ４０の外面とが確実に接触することとなるため、十分な回転抵抗力を得ることができ、結果として、オスコネクタ３０とメスコネクタ４０との接続を確実に維持することが可能となる。
【００６０】
実施形態に係る医療用具１は、上記した接続部材２０を備えるため、コネクタが接続されている部分の緩みの少ない優れた医療用具となる。
【００６１】
以上、本発明の固定具、接続部材及び医療用具を上記の実施形態に基づいて説明したが、本発明は上記の実施形態に限定されるものではなく、その要旨を逸脱しない範囲において種々の態様において実施することが可能であり、例えば次のような変形も可能である。
【００６２】
（１）本発明の固定具は、上述した点滴筒１０、ローラークランプ１２及び三方活栓１３を備える輸液セットとしての医療用具１に限らず、点滴筒、ローラークランプ及び三方活栓のうち少なくとも１つを備えていない輸液セットや、これら各部材に加えて他の部材を備える輸液セットに用いることができる。また、輸液セットに限らず、他の医療用具（例えば、血液の体外循環回路、カテーテル類、輸血セット、注射器等）に用いることもできる。
【００６３】
（２）上記実施形態においては、図６に示したように、固定具の管中心軸５０ａｘを含む仮想平面で切断したときの、突起部６２を構成する突起の頂部をつないだ仮想直線Ｃと、固定具の管中心軸５０ａｘとが平行関係となるように、突起部６２の突出高さ（内面から突出する長さ）が揃えられている場合を例示して説明したが、本発明はこれに限定されるものではない。例えば、突起部６２を構成する突起の頂部をつないだ仮想直線と、非突起部６４をつないだ仮想直線Ｐとが平行関係となるように、つまり、突起部６２の部分での内径寸法が徐々に狭くなるように、突起部６２の突出高さ（内面から突出する長さ）が揃えられていてもよい。
【００６４】
（３）上記実施形態においては、溝部５６が、固定具５０の外周面全面にわたって設けられている場合を例示して説明したが、本発明はこれに限定されるものではなく、固定具５０の外周面の一部にのみ溝部が設けられていてもよいし、溝部を備えていない固定具にも本発明を適用することができることは言うまでもない。また、溝部５６に代えて、外側に向けて突出する複数の突起を備えていてもよい。
【００６５】
（４）上記実施形態においては、係合部５８が、固定具５０の内面全面にわたって設けられている場合を例示して説明したが、本発明はこれに限定されるものではなく、固定具５０の内面の一部にのみ係合部が設けられていてもよい。オスコネクタ３０の被係合部３６についても同様に、オスコネクタ３０の外周面の一部にのみ被係合部が設けられていてもよい。また、上記実施形態においては、係合部５８及び被係合部３６がともに段状である場合を例示して説明したが、本発明はこれに限定されるものではなく、両者が係合可能であれば、他の構成からなっていてもよい。
【符号の説明】
【００６６】
１  医療用具
１０  点滴筒
１１，１４，１５  チューブ
１２  ローラークランプ
１３  三方活栓
２０  接続部材
３０  オスコネクタ
３２  嵌合部
３４  チューブ接続部
３６  被係合部
４０  メスコネクタ
４２  嵌合孔
４４  チューブ接続部
４６  被螺合部
５０，９５０  固定具
５０ａｘ，９５０ａｘ  固定具の管中心軸
５２，９５２  第１コネクタ挿入口
５４，９５４  第２コネクタ挿入口
５６  溝部
５８  係合部
６０，９６０  螺合部
６２，９６２  突起部
６４，９６４  非突起部
６６  ストレート部
θ  非突起部６４をつないだ仮想直線Ｐと固定具の管中心軸５０ａｘとが交差する角度
【図１】
2010213780.tif 000003
【図２】
2010213780.tif 000004
【図３】
2010213780.tif 000005
【図４】
2010213780.tif 000006
【図５】
2010213780.tif 000007
【図６】
2010213780.tif 000008
【図７】
2010213780.tif 000009
【図８】
2010213780.tif 000010
【図９】
2010213780.tif 000011
【図１０】
2010213780.tif 000012
【図１１】
2010213780.tif 000013
【図１２】
2010213780.tif 000014